(57)【要約】【課題】ハンドストラップが長くても、手の位置を規定することができる携帯端末装置を提供する。【解決手段】バッテリカバー部１２の周囲の筐体１１に、バッテリカバー部１２を挟んで対峙する位置に一対の掛止部１３が設けられ、そこにハンドストラップ１４の両端に設けられた止め金具１５を引っ掛けて止める。バッテリカバー部１２には、手２５の幅を規定する手幅浮動調整部１７が設けられている。手幅浮動調整部１７は、バッテリカバー部１２に固定されたガイドレール部１８とスライダ部１９とそのベルト挿通部および突起部とを有し、ベルト挿通部にハンドストラップ１４のベルト１６を通し、突起部をベルト１６に開けられた貫通孔２４の１つと嵌合させることにより、スライダ部１９の位置を固定し、これにより手２５を通す部分の幅が規定できる。【選択図】図１
2017167780.tif 000002
【特許請求の範囲】
【請求項１】
手を通すことによって片手で持つことができるようにするハンドストラップを備えた携帯端末装置において、
背面側の筐体に着脱自在に設けられたバッテリカバー部と、
前記バッテリカバー部を挟んだ両側の前記筐体に形成された掛止部と、
両端を前記掛止部に引っ掛けることで前記筐体に固定されるハンドストラップと、
前記バッテリカバー部に設けられ前記ハンドストラップが前記掛止部に掛け渡される方向に延びているガイドレール部および前記ガイドレール部に沿ってスライドさせることにより前記ハンドストラップに手を通す幅が規定されるスライダ部を有して間に手が通される二組の手幅浮動調整部と、
を備えている携帯端末装置。
【請求項２】
前記手幅浮動調整部の前記スライダ部は、前記ハンドストラップのベルトを通すベルト挿通部と前記ベルト挿通部内にて前記バッテリカバー部の方向に突設された突起部とを有し、前記ハンドストラップの前記ベルトには、前記突起部と嵌合される複数の嵌合部を有している、請求項１記載の携帯端末装置。
【請求項３】
前記嵌合部は、前記ベルトに形成された貫通孔である、請求項２記載の携帯端末装置。
【請求項４】
前記嵌合部は、前記突起部と対向する側の前記ベルトの面に形成された凹部である、請求項２記載の携帯端末装置。
【請求項５】
前記バッテリカバー部は、前記手幅浮動調整部の前記ガイドレール部から前記掛止部のある側に隣接して前記ベルトが通る位置に設けられ、前記突起部の先端位置のレベルを超えて前記バッテリカバー部から隆起している隆起部を有している、請求項２記載の携帯端末装置。
【請求項６】
前記ベルトは、伸縮性を有するゴムベルトである、請求項１記載の携帯端末装置。
【発明の詳細な説明】
【技術分野】
【０００１】
本発明は、タブレット型コンピュータ、棚卸・発注用の端末装置などのハンドストラップを備えた携帯端末装置に関する。
【背景技術】
【０００２】
携帯端末装置は、片手で操作したり持ち運んだりすることが多いので、常に滑落などの対応や対策が必要である。このような対応策としては、一般に、携帯端末装置の背面にハンドストラップを備え、携帯端末装置の背面とハンドストラップとの間に手を差し込んで使用する形態のものが知られている（たとえば、特許文献１参照）。
【０００３】
図４は従来の携帯端末装置の一例を示す背面図であり、図５は従来の別の携帯端末装置の例を示す背面図である。
図４に示す従来の携帯端末装置１００では、背面の筐体１０１に所定の間隔を置いて掛止部１０２が設けられ、その掛止部１０２の間にハンドストラップ１０３が跨設されている。ハンドストラップ１０３は、伸縮性を有するゴムベルト１０４とその両端に設けられた止め金具１０５とを有している。ハンドストラップ１０３は、止め金具１０５を掛止部１０２に引っ掛け、ゴムベルト１０４が両端の止め金具１０５を引っ張ることによって携帯端末装置１００の筐体１０１に装着されている。ハンドストラップ１０３は、携帯端末装置１００に装着したときに手のサイズに合わせた長さを有している。
【０００４】
携帯端末装置１００は、携帯端末装置１００の背面の筐体１０１とハンドストラップ１０３とのすき間に手を差し込んで使用される。このとき、ハンドストラップ１０３が手を携帯端末装置１００の背面の筐体１０１に押し付けるように作用するので、携帯端末装置１００は、手に保持されるようになる。
【０００５】
携帯端末装置１００は、バッテリを内蔵しており、そのバッテリは、寿命が来たときに容易に交換できるように、筐体１０１には取り外し自在なバッテリカバー部１０６が設けられている。保守点検の際にバッテリの交換が必要な場合には、筐体１０１からバッテリカバー部１０６を外して中のバッテリを交換することになる。
【０００６】
図５に示した近年の携帯端末装置２００では、画面が大型化し、筐体２０１が薄型化してきており、これに伴い内蔵のバッテリも大型化かつ薄型化してきている。このため、筐体２０１の背面は、バッテリカバー部２０２が大部分を占めるようになり、携帯端末装置２００の背面に手のサイズに合わせた長さのハンドストラップ２０３を装着する場合、ハンドストラップ２０３は、バッテリカバー部２０２に装着することになる。
【０００７】
この場合、バッテリカバー部２０２は、筐体２０１にねじ止めするなどして運用時に簡単に外れないようにしている。したがって、バッテリを交換するときには、バッテリカバー部２０２を外すためにドライバーなどのツールが必要となり、バッテリ交換が容易でなく、煩雑になる。
【０００８】
これは、ハンドストラップ２０３が手のサイズに合わせた長さにしているからである。このため、バッテリカバー部２０２を筐体２０１にねじ止めしたくない場合には、長いハンドストラップを用い、バッテリカバー部２０２を跨いでハンドストラップを筐体２０１に引っ掛けるようにすればよい。
【先行技術文献】
【特許文献】
【０００９】
【特許文献１】特開２００９−１９３４０５号公報
【発明の概要】
【発明が解決しようとする課題】
【００１０】
ハンドストラップを長くし、ハンドストラップの取付位置をバッテリカバー部から避けた位置の筐体に設けることにより、運用時にバッテリカバーごと外れるということを防ぐことができる。しかしながら、この場合、ハンドストラップが長いために、手の位置が規定されないという問題が発生する。
【００１１】
本発明はこのような点に鑑みてなされたものであり、ハンドストラップが長くても、手の位置を規定することができる携帯端末装置を提供することを目的とする。
【課題を解決するための手段】
【００１２】
本発明では、上記の課題を解決するために、１つの案では、手を通すことによって片手で持つことができるようにするハンドストラップを備えた携帯端末装置が提供される。この携帯端末装置は、背面側の筐体に着脱自在に設けられたバッテリカバー部と、前記バッテリカバー部を挟んだ両側の前記筐体に形成された掛止部と、両端を前記掛止部に引っ掛けることで前記筐体に固定されるハンドストラップと、前記バッテリカバー部に設けられ前記ハンドストラップが前記掛止部に掛け渡される方向に延びているガイドレール部および前記ガイドレール部に沿ってスライドさせることにより前記ハンドストラップに手を通す幅が規定されるスライダ部を有して間に手が通される二組の手幅浮動調整部と、を備えている。
【発明の効果】
【００１３】
上記構成の携帯端末装置は、手を通す部分の幅を調整できるので、バッテリカバー部が大きくなってハンドストラップが長くなっても、手幅浮動調整部が手の位置を規定することができるという利点がある。
【図面の簡単な説明】
【００１４】
【図１】発明の実施の形態に係る携帯端末装置の一例を示す背面図である。
【図２】図１のＡ−Ａ矢視断面図である。
【図３】図１のＢ−Ｂ矢視断面図である。
【図４】従来の携帯端末装置の一例を示す背面図である。
【図５】従来の別の携帯端末装置の例を示す背面図である。
【発明を実施するための形態】
【００１５】
以下、本発明の実施の形態について、図面を参照して詳細に説明する。
図１は発明の実施の形態に係る携帯端末装置の一例を示す背面図、図２は図１のＡ−Ａ矢視断面図、図３は図１のＢ−Ｂ矢視断面図である。
【００１６】
図１に示す携帯端末装置１０では、背面の筐体１１のほぼ中央に内蔵のバッテリを交換するためのバッテリカバー部１２が取り外し自在に設けられている。バッテリカバー部１２の周囲の筐体１１には、バッテリカバー部１２を挟んで対峙する位置に一対の掛止部１３が設けられている。図示の例では、掛止部１３は、携帯端末装置１０の上下方向のほぼ中心を通る水平方向の線上の筐体１１にこの筐体１１と一体に形成されている。なお、この掛止部１３は、水平方向の線上に設けてあるが、バッテリカバー部１２を通る斜め方向の線上に設けることもできる。
【００１７】
掛止部１３は、ハンドストラップ１４を筐体１１に固定するものであって、容易に着脱することができる構造を有している。すなわち、掛止部１３は、図２に示したように、それぞれ外側に向かって開放された断面コの字状の形状を有し、この断面コの字状の部分が、ハンドストラップ１４の両端に設けられた止め金具１５を引っ掛けて止める。ハンドストラップ１４は、両端に止め金具１５を有する中間部分が伸縮性を有する、たとえば、ゴム製のベルト１６であるので、ベルト１６を長手方向に引き伸ばした状態で止め金具１５を掛止部１３の断面コの字状の部分に引っ掛けることで筐体１１に止められる。
【００１８】
バッテリカバー部１２は、ハンドストラップ１４が掛け渡される位置に所定の間隔を置いて一体の手幅浮動調整部１７が設けられている。この手幅浮動調整部１７は、バッテリカバー部１２と一体に形成され、ハンドストラップ１４が掛け渡される方向に延びる２条のガイドレール部１８と、このガイドレール部１８に沿ってスライドできるスライダ部１９とを有している。
【００１９】
手幅浮動調整部１７のスライダ部１９は、図３に示したように、下部にガイドレール部１８に沿って走行する脚部２０を有し、上部には、ハンドストラップ１４のベルト１６を保持するベルト保持部２１を有している。ベルト保持部２１は、ベルト１６を貫通させるように形成された中空のベルト挿通部２２を有し、このベルト挿通部２２には、その天井から垂下するように突設された突起部２３を有している。この突起部２３は、ベルト挿通部２２に通されたベルト１６と結合するものであって、その結合は、ベルト１６に開けられた貫通孔２４と嵌合することによって実施される。貫通孔２４は、ベルト１６の長手方向に複数個、図示の例では、それぞれの手幅浮動調整部１７に３個ずつ設けられていて、突起部２３は、３個のうちの１個の貫通孔２４とそれぞれ嵌合される。
【００２０】
手幅浮動調整部１７は、ベルト保持部２１の突起部２３がどの貫通孔２４と嵌合するかによって手幅が調整される。すなわち、突起部２３がそれぞれ最も内側に開けられた貫通孔２４と嵌合した場合、２つの手幅浮動調整部１７間の距離が最も短くなるので、手幅浮動調整部１７は、最も狭い手幅に調整したことになる。逆に、突起部２３がそれぞれ最も外側に開けられた貫通孔２４と嵌合した場合、２つの手幅浮動調整部１７間の距離が最も長くなるので、手幅浮動調整部１７は、最も広い手幅に調整したことになる。この手幅の調整は、この携帯端末装置１０を使用するユーザの手２５の幅に合わせて行われる。
【００２１】
なお、ベルト１６に形成されて突起部２３と嵌合される嵌合部は、この実施の形態では、貫通孔２４としたが、貫通していない凹部としてもよい。この凹部は、突起部２３と対向する側のベルト１６の面に形成される。また、複数の貫通孔２４の一部を凹部で構成してもよい。
【００２２】
バッテリカバー部１２は、さらに、手幅浮動調整部１７のそれぞれの外側に隣接して隆起部２６が形成されている。この隆起部２６は、その頂点がベルト保持部２１に形成された突起部２３の下端よりも高いレベルになるように形成されている。これにより、ハンドストラップ１４の止め金具１５を掛止部１３に引っ掛けたときに、隆起部２６がスライダ部１９と掛止部１３との間にあるベルト１６を持ち上げるようになる。ベルト１６は、持ち上げられることにより、ベルト保持部２１、隆起部２６および止め金具１５によって高さ位置が規制されることでＳ字状に蛇行するように変形され、突起部２３の方向へ付勢されるようになる。この結果、隆起部２６は、突起部２３と貫通孔２４との嵌合がより強固になる方向に作用する。
【００２３】
以上の携帯端末装置１０のハンドストラップ１４によれば、一方の止め金具１５を掛止部１３に嵌め、他方の止め金具１５を他方の方向に引っ張りながら掛止部１３に嵌めてやる。すると、ベルト１６の引っ張り力で両端の止め金具１５がそれぞれ掛止部１３に引っ掛けられ、ハンドストラップ１４は、筐体１１に固定される。このため、携帯端末装置１０の運用時に、バッテリカバー部１２に対してこれが外れるような力が働くことはないので、携帯端末装置１０がバッテリカバー部１２およびハンドストラップ１４から離脱してしまうおそれがなくなる。
【００２４】
次に、ユーザの手２５の幅が手幅浮動調整部１７間の距離と適合しているかどうかに応じて手幅浮動調整部１７間の距離が調整される。手２５の幅が手幅浮動調整部１７間の距離より狭ければ、手幅浮動調整部１７を内側にスライドさせて手幅浮動調整部１７間の距離を短くするように調整が行われる。また、手２５の幅が手幅浮動調整部１７間の距離より広ければ、手幅浮動調整部１７を外側にスライドさせて手幅浮動調整部１７間の距離を長くするように調整が行われる。この調整により、手２５の位置が手幅浮動調整部１７により規定されて手２５の遊びがなくなるので、携帯端末装置１０が手２５から離れて滑落してしまうことが防止できるようになる。
【００２５】
また、複数のユーザが１つの携帯端末装置１０を共有する場合でも、各ユーザの手幅に合うように手幅浮動調整部１７で手幅を調整することができるので、ユーザによってサイズが合わないという心配がなくなる。
【００２６】
なお、ハンドストラップ１４は、そのベルト１６がスライダ部１９のベルト保持部２１によって保持されていることから、止め金具１５を掛止部１３から外しても、ベルト保持部２１に保持された状態を維持する。このため、保守点検の際にバッテリの交換が必要となってバッテリカバー部１２を外したとしても、ハンドストラップ１４は、バッテリカバー部１２に保持されたままである。したがって、保守点検の際にハンドストラップ１４を筐体１１から外しても、点検途中にハンドストラップ１４が紛失してしまうおそれを軽減することができる。
【００２７】
なお、上記の実施の形態では、手幅浮動調整部１７が手２５の位置を規定するために、突起部２３をベルト１６の貫通孔２４に嵌合させてスライダ部１９の位置を固定しているが、スライダ部１９の固定は、この方法に限定されない。すなわち、ガイドレール部１８とスライダ部１９との間において、スライダ部１９をガイドレール部１８の任意の位置で固定可能にすることで、手幅浮動調整が実現される。このような機構としては、スライダ部１９をガイドレール部１８にピン止めする方法がある。たとえば、まず、ガイドレール部１８にスライド方向に沿って複数の貫通孔を筐体１１の面に平行に形成し、スライダ部１９の脚部２０にも貫通穴または凹部を形成しておく。ここで、ガイドレール部１８の任意の貫通孔と脚部２０の貫通穴または凹部とにピンを通すことで、スライダ部１９は、ガイドレール部１８の任意の位置に固定される。
【符号の説明】
【００２８】
１０  携帯端末装置
１１  筐体
１２  バッテリカバー部
１３  掛止部
１４  ハンドストラップ
１５  止め金具
１６  ベルト
１７  手幅浮動調整部
１８  ガイドレール部
１９  スライダ部
２０  脚部
２１  ベルト保持部
２２  ベルト挿通部
２３  突起部
２４  貫通孔
２５  手
２６  隆起部
【図１】
2017167780.tif 000003
【図２】
2017167780.tif 000004
【図３】
2017167780.tif 000005
【図４】
2017167780.tif 000006
【図５】
2017167780.tif 000007